(57)【要約】【課題】情報漏洩の抑制を図ることができるデータ出力システムを提供すること。【解決手段】出力対象データが蓄積されたデータサーバにネットワークを介して接続可能な携帯端末と、この携帯端末とデータ通信可能であり出力対象データを出力するデータ出力装置と、を備えたデータ出力システムであって、携帯端末が、データサーバから出力対象データを取得するデータ取得手段と、この取得した出力対象データをデータ出力装置に対して転送するデータ転送手段と、を備えると共に、データ出力装置が、携帯端末から転送された出力対象データを受信して記憶する出力対象データ記憶処理手段と、この記憶された出力対象データの出力処理を含む所定の処理を行う出力対象データ処理手段と、を備えた。【選択図】図１
2008097168.tif 000002
【特許請求の範囲】
【請求項１】
出力対象データが蓄積されたデータサーバにネットワークを介して接続可能な携帯端末と、この携帯端末とデータ通信可能であり前記出力対象データを出力するデータ出力装置と、を備えたデータ出力システムであって、
前記携帯端末が、前記データサーバから前記出力対象データを取得するデータ取得手段と、この取得した出力対象データを前記データ出力装置に対して転送するデータ転送手段と、を備えると共に、
前記データ出力装置が、前記携帯端末から転送された前記出力対象データを受信して記憶する出力対象データ記憶処理手段と、この記憶された出力対象データの出力処理を含む所定の処理を行う出力対象データ処理手段と、を備えた、
ことを特徴とするデータ出力システム。
【請求項２】
前記携帯端末は、取得した前記出力対象データを前記データ出力装置に転送した後に消去するデータ消去手段を備えた、
ことを特徴とする請求項１記載のデータ出力システム。
【請求項３】
前記携帯端末は、前記データ出力装置に前記出力対象データの処理指令を発するデータ処理指令手段を備えると共に、
前記データ出力装置の出力対象データ処理手段は、前記携帯端末からの処理指令に応じて記憶された前記出力対象データに対する前記所定の処理を行う、
ことを特徴とする請求項１又は２記載のデータ出力システム。
【請求項４】
前記携帯端末のデータ処理指令手段は、前記出力対象データの出力処理を指令する出力処理指令を発し、
前記データ出力装置の出力対象データ処理手段は、前記出力処理指令に応じて前記出力対象データの出力処理を行う、
ことを特徴とする請求項３記載のデータ出力システム。
【請求項５】
前記携帯端末のデータ処理指令手段は、前記データ出力装置内から前記出力対象データを消去するよう指令するデータ消去指令を発し、
前記データ出力装置の出力対象データ処理手段は、記憶されている前記出力対象データを消去する、
ことを特徴とする請求項３又は４記載のデータ出力システム。
【請求項６】
前記携帯端末のデータ処理指令手段は、請求項２記載の前記データ消去手段によるデータ消去時に前記データ消去指令を発する、
ことを特徴とする請求項５記載のデータ出力システム。
【請求項７】
前記データ出力装置の出力対象データ処理手段は、前記出力対象データに対する処理指令の入力状況に応じて前記出力対象データの出力処理を不能にする出力不能手段を備えた、
ことを特徴とする請求項１，２，３，４，５又は６記載のデータ出力システム。
【請求項８】
前記出力不能手段は、前記出力対象データに対する処理指令の入力が一定時間無かった場合に作動する、
ことを特徴とする請求項７記載のデータ出力システム。
【請求項９】
前記出力不能手段は、前記データ出力装置内に記憶されている前記出力対象データを消去する、
ことを特徴とする請求項７又は８記載のデータ出力システム。
【請求項１０】
前記携帯端末が、
取得した前記出力対象データを前記データ出力装置に転送した後であって、当該データ出力装置による前記出力対象データの出力を終了する指令が入力されたときに、当該出力対象データを携帯端末内から消去するデータ消去手段と、
前記データ出力装置に対して、前記出力対象データの一部分を指定して当該指定した部分を出力するよう指令する出力処理指令と、前記データ消去手段による消去時に前記出力対象データを前記データ出力装置内から消去するよう指令するデータ消去指令と、を含む処理指令を発するデータ処理指令手段と、を備え、
前記データ出力装置の出力対象データ処理手段は、前記出力処理指令にて指定された前記出力対象データの一部分を出力する出力処理と、前記データ消去指令に応じて記憶されている前記出力対象データを消去する消去処理と、を行う、
ことを特徴とする請求項１記載のデータ出力システム。
【請求項１１】
前記データ出力装置の出力対象データ処理手段は、前記出力対象データに対する処理指令が一定時間無かった場合に、記憶されている前記出力対象データの出力を停止する、あるいは、前記データ出力装置内から消去するデータ出力不能手段を備えた、
ことを特徴とする請求項１０記載のデータ出力システム。
【請求項１２】
出力対象データが蓄積されたデータサーバにネットワークを介して接続可能であり、前記出力対象データを出力する処理を含む所定の処理を行うデータ出力装置とデータ通信可能な携帯端末であって、
前記データサーバから前記出力対象データを取得するデータ取得手段と、この取得した出力対象データを前記データ出力装置に対して転送するデータ転送手段と、
を備えたことを特徴とする携帯端末。
【請求項１３】
取得した前記出力対象データを前記データ出力装置に転送後に消去するデータ消去手段を備えた、
ことを特徴とする請求項１２記載の携帯端末。
【請求項１４】
前記携帯端末からの処理指令に応じて前記出力対象データの処理を行う機能を有する前記データ出力装置に、当該データ出力装置上における前記出力対象データの処理内容を指令するデータ処理指令手段を備えた、
ことを特徴とする請求項１２又は１３記載の携帯端末。
【請求項１５】
前記データ処理指令手段は、前記出力対象データの出力処理を指令する出力処理指令を発する、
ことを特徴とする請求項１４記載の携帯端末。
【請求項１６】
前記データ処理指令手段は、前記データ出力装置内から前記出力対象データを消去するよう指令するデータ消去指令を発する、
ことを特徴とする請求項１４又は１５記載の携帯端末。
【請求項１７】
前記データ処理指令手段は、請求項１３記載の前記データ消去手段によるデータ消去時に前記データ消去指令を発する、
ことを特徴とする請求項１６記載の携帯端末。
【請求項１８】
取得した前記出力対象データを前記データ出力装置に転送した後であって、当該データ出力装置による前記出力対象データの出力を終了する指令が入力されたときに、当該出力対象データを携帯端末内から消去するデータ消去手段と、
前記データ出力装置に対して、前記出力対象データの一部分を指定して当該指定した部分を出力するよう指令する出力処理指令と、前記データ消去手段による消去時に前記出力対象データを前記データ出力装置内から消去するよう指令するデータ消去指令と、を含む処理指令を発するデータ処理指令手段と、
を備えたことを特徴とする請求項１２記載の携帯端末。
【請求項１９】
出力対象データが蓄積されたデータサーバにネットワークを介して接続可能であり、前記出力対象データを出力する処理を含む所定の処理を行うデータ出力装置とデータ通信可能な携帯端末に、
前記データサーバから前記出力対象データを取得するデータ取得手段と、この取得した出力対象データを前記データ出力装置に対して転送するデータ転送手段と、
を実現させるためのプログラム。
【請求項２０】
前記携帯端末に、取得した前記出力対象データを前記データ出力装置に転送後に消去するデータ消去手段、
を実現させるための請求項１９記載のプログラム。
【請求項２１】
前記携帯端末に、当該携帯端末からの処理指令に応じて前記出力対象データの処理を行う機能を有する前記データ出力装置に対して、当該データ出力装置上における前記出力対象データの処理内容を指令するデータ処理指令手段、
を実現させるための請求項１９又は２０記載のプログラム。
【請求項２２】
前記携帯端末に、
取得した前記出力対象データを前記データ出力装置に転送した後であって、当該データ出力装置による前記出力対象データの出力を終了する指令が入力されたときに、当該出力対象データを携帯端末内から消去するデータ消去手段と、
前記データ出力装置に対して、前記出力対象データの一部分を指定して当該指定した部分を出力するよう指令する出力処理指令と、前記データ消去手段による消去時に前記出力対象データを前記データ出力装置内から消去するよう指令するデータ消去指令と、を含む処理指令を発するデータ処理指令手段と、
を実現させるための請求項１９記載のプログラム。
【請求項２３】
出力対象データが蓄積されたデータサーバにネットワークを介して接続可能な携帯端末とデータ通信可能であり、前記出力対象データを出力するデータ出力装置であって、
前記携帯端末が前記データサーバから取得し当該携帯端末から転送された前記出力対象データを受信して記憶する出力対象データ記憶処理手段と、この記憶された出力対象データの出力処理を含む所定の処理を行う出力対象データ処理手段と、
を備えたことを特徴とするデータ出力装置。
【請求項２４】
前記出力対象データ処理手段は、前記携帯端末から発せられた前記出力対象データの処理指令を受け付けて、当該処理指令に応じて記憶された前記出力対象データに対する前記所定の処理を行う、
ことを特徴とする請求項２３記載のデータ出力装置。
【請求項２５】
前記出力対象データ処理手段は、前記携帯端末から発せられた前記出力対象データの出力処理を指令する出力処理指令を受け付けて、当該出力処理指令に応じて前記出力対象データの出力処理を行う、
ことを特徴とする請求項２４記載のデータ出力装置。
【請求項２６】
前記出力対象データ処理手段は、前記携帯端末から発せられたデータ出力装置内から前記出力対象データを消去するよう指令するデータ消去指令を受け付けて、当該データ消去指令に応じて記憶されている前記出力対象データを消去する、
ことを特徴とする請求項２４又は２５記載のデータ出力装置。
【請求項２７】
前記出力対象データ処理手段は、前記出力対象データに対する処理指令の入力状況に応じて前記出力対象データの出力処理を不能にする出力不能手段を備えた、
ことを特徴とする請求項２３，２４，２５又は２６記載のデータ出力装置。
【請求項２８】
前記出力不能手段は、前記出力対象データに対する処理指令の入力が一定時間無かった場合に作動する、
ことを特徴とする請求項２７記載のデータ出力装置。
【請求項２９】
前記出力不能手段は、データ出力装置内に記憶されている前記出力対象データを消去する、
ことを特徴とする請求項２７又は２８記載のデータ出力装置。
【請求項３０】
前記出力対象データ処理手段は、
前記携帯端末から発せられた前記出力対象データの一部分を指定して当該指定した部分を出力するよう指令する出力処理指令を受け付けて、これに応じて前記出力処理指令にて指定された前記出力対象データの一部分を出力する出力処理と、
前記携帯端末から当該携帯端末内で前記出力対象データが消去されたときに発せられた前記データ出力装置内から前記出力対象データを消去するよう指令するデータ消去指令を受け付けて、これに応じて記憶されている前記出力対象データを消去する消去処理と、
を実行する、
ことを特徴とする請求項２３記載のデータ出力装置。
【請求項３１】
前記出力対象データ処理手段は、前記出力対象データに対する処理指令が一定時間無かった場合に、記憶されている前記出力対象データの出力を停止する、あるいは、前記データ出力装置内から消去するデータ出力不能手段を備えた、
ことを特徴とする請求項３０記載のデータ出力装置。
【請求項３２】
請求項２３乃至３１記載のデータ出力装置は、前記出力対象データを画像出力する出力処理を含む前記出力対象データ処理手段を備えている、ことを特徴とする画像出力装置。
【請求項３３】
出力対象データが蓄積されたデータサーバにネットワークを介して接続可能な携帯端末とデータ通信可能であり、前記出力対象データを出力するデータ出力装置に、
前記携帯端末が前記データサーバから取得し当該携帯端末から転送された前記出力対象データを受信して記憶装置に記憶する出力対象データ記憶処理手段と、この記憶された出力対象データの出力処理を含む所定の処理を行う出力対象データ処理手段と、
を実現させるためのプログラム。
【請求項３４】
前記出力対象データ処理手段は、前記携帯端末から発せられた前記出力対象データの処理指令を受け付けて、当該処理指令に応じて記憶された前記出力対象データに対する前記所定の処理を行う、ことを特徴とする請求項３３記載のプログラム。
【請求項３５】
前記出力対象データ処理手段は、前記出力対象データに対する処理指令の入力状況に応じて前記出力対象データの出力処理を不能にする、ことを特徴とする請求項３３又は３４記載のプログラム。
【請求項３６】
前記出力対象データ処理手段は、
前記携帯端末から発せられた前記出力対象データの一部分を指定して当該指定した部分を出力するよう指令する出力処理指令を受け付けて、これに応じて前記出力処理指令にて指定された前記出力対象データの一部分を出力する出力処理と、
前記携帯端末から当該携帯端末内で前記出力対象データが消去されたときに発せられた前記データ出力装置内から前記出力対象データを消去するよう指令するデータ消去指令を受け付けて、これに応じて記憶されている前記出力対象データを消去する消去処理と、
を実行する、
ことを特徴とする請求項３３記載のプログラム。
【請求項３７】
前記出力対象データ処理手段は、前記出力対象データに対する処理指令が一定時間無かった場合に、記憶されている前記出力対象データの出力を停止する、あるいは、前記データ出力装置内から消去する、
ことを特徴とする請求項３６記載のプログラム。
【請求項３８】
出力対象データが蓄積されたデータサーバにネットワークを介して接続可能な携帯端末と、この携帯端末とデータ通信可能なデータ出力装置と、を備え、前記データ出力装置から前記出力対象データを出力するデータ出力方法であって、
前記携帯端末が、前記データサーバから前記出力対象データを取得して、この取得した出力対象データを前記データ出力装置に対して転送し、
前記データ出力装置が、前記携帯端末から転送された前記出力対象データを受信して記憶し、この記憶された出力対象データの出力処理を含む所定の処理を行う、
ことを特徴とするデータ出力方法。
【請求項３９】
前記携帯端末が、取得した前記出力対象データを前記データ出力装置に転送した後に消去する、
ことを特徴とする請求項３８記載のデータ出力方法。
【請求項４０】
前記携帯端末が、前記出力対象データの転送した後に、前記データ出力装置に前記出力対象データの処理指令を発し、
前記データ出力装置が、前記携帯端末から転送された前記出力対象データを受信して記憶した後に、前記携帯端末から発せられた処理指令を受け付けて、当該処理指令に応じて記憶された前記出力対象データに対する前記所定の処理を行う、
ことを特徴とする請求項３８又は３９記載のデータ出力方法。
【請求項４１】
前記携帯端末が、当該携帯端末内の前記出力対象データを消去したときに、前記データ出力装置に前記出力対象データの消去指令を発する、
ことを特徴とする請求項４０記載のデータ出力方法。
【請求項４２】
前記データ出力装置が、前記携帯端末から転送された前記出力対象データを受信して記憶した後に、前記出力対象データに対する処理指令の入力状況を監視し、監視状況に応じて前記出力対象データの出力処理を不能にする、
ことを特徴とする請求項３８，３９，４０又は４１記載のデータ出力方法。
【請求項４３】
前記携帯端末が、取得した前記出力対象データを前記データ出力装置に転送した後に、前記データ出力装置に対して前記出力対象データの一部分を指定して当該指定した部分を出力するよう指令する出力処理指令を発し、これに応じて、前記データ出力装置が前記出力処理指令にて指定された前記出力対象データの一部分を出力し、
前記携帯端末が、取得した前記出力対象データを前記データ出力装置に転送した後であって、当該データ出力装置による前記出力対象データの出力を終了する指令が入力されたときに、当該出力対象データを携帯端末内から消去すると共に、前記データ出力装置に対して前記出力対象データを前記データ出力装置内から消去するよう指令するデータ消去指令を発し、これに応じて、前記データ出力装置が記憶されている前記出力対象データを消去する、
ことを特徴とする請求項３８記載のデータ出力方法。
【請求項４４】
前記データ出力装置が、前記携帯端末から転送された前記出力対象データを受信して記憶した後に、前記出力対象データに対する処理指令が一定時間無かった場合に、記憶されている前記出力対象データの出力を停止する、あるいは、前記データ出力装置内から消去する、
ことを特徴とする請求項４３記載のデータ出力方法。
【発明の詳細な説明】
【技術分野】
【０００１】
本発明は、データ出力システムにかかり、特に、ネットワーク上のサーバに格納されたデータを、外部に設置されたプロジェクタなどのデータ出力装置にて出力するシステムに関する。
【背景技術】
【０００２】
従来より、社外などで電子的なプレゼンテーションを行う場合には、一般的にはパソコンや外部メモリなどのデータ保存が可能な電子情報機器に文書データを格納し、それら電子情報機器を通じてプロジェクタにて映像出力を行う方法が採られてきた。このため、文書データを格納するパソコンや外部メモリを携行する必要が生じ、仮にパソコンや外部メモリの紛失や盗難が生じた場合には、情報漏洩の危険性があった。
【０００３】
そして、下記特許文献１には、プレゼンテーション用データを携帯型端末に格納し、そのデータをプロジェクタに送信して、当該プロジェクタから投影させる、というシステムが開示されている。また、この文献に開示されているシステムによると、携帯型端末からプロジェクタに制御信号をワイヤレスで送信することにより、プロジェクタの電源のＯＮ／ＯＦＦや、投影の開始、投影画面の切替などの制御を行うこともができる。
【０００４】
【特許文献１】特開２００３−１９８８７０号公報
【発明の開示】
【発明が解決しようとする課題】
【０００５】
しかしながら、上記特許文献１に開示されたシステムでは、依然としてプレゼンテーション用データの漏洩の問題が生じる。つまり、携帯型端末内のデータをプロジェクタに送信させるためには、上述同様にプレゼンテーション用データが格納された携帯型端末を外部に持ち出す必要があり、持ち出し時に携帯型端末の紛失や盗難が生じる可能性があり、情報漏洩の問題が生じうる。
【０００６】
また、プロジェクタに投影するデータばかりでなく、モニタにて再生出力する映像や画像データ、プリンタで出力する文書データ、音響機器にて出力する音楽データなど、外部に設置されたあらゆる出力装置にて出力可能なデータを、携帯型端末や携帯型メモリにて持ち運ぶ場合にも、上述同様に情報漏洩の問題が生じる。このため、会社の機密情報や個人情報、著作権データなどを適切に保護することができない、という問題が生じる。
【０００７】
このため、本発明では、上記従来例の有する不都合を改善し、特に、情報漏洩の抑制を図ることができるデータ出力システムを提供することをその目的とする。
【課題を解決するための手段】
【０００８】
そこで、本発明の一形態であるデータ出力システムは、
出力対象データが蓄積されたデータサーバにネットワークを介して接続可能な携帯端末と、この携帯端末とデータ通信可能であり出力対象データを出力するデータ出力装置と、を備えたデータ出力システムであって、
携帯端末が、データサーバから出力対象データを取得するデータ取得手段と、この取得した出力対象データをデータ出力装置に対して転送するデータ転送手段と、を備えると共に、
データ出力装置が、携帯端末から転送された出力対象データを受信して記憶する出力対象データ記憶処理手段と、この記憶された出力対象データの出力処理を含む所定の処理を行う出力対象データ処理手段と、を備えた、
ことを特徴としている。
【０００９】
上記発明によると、まず、データサーバに蓄積されている出力対象データが、携帯端末にてネットワークを介して取得され、この取得されたデータが、携帯端末からデータ出力装置に転送される。そして、データ出力装置から上記出力対象データを出力することができる。これにより、ユーザは出力対象データが必要なときのみ携帯端末にて取得して転送させることができる。つまり、出力対象データは、使用するときに携帯端末を中継するのみであり、その他の状況時には携帯端末には保存されていない。従って、携帯端末の紛失などが生じたとしても情報漏洩の問題の発生を抑制することができ、セキュリティ性の向上を図ることができる。
【００１０】
また、携帯端末は、取得した出力対象データをデータ出力装置に転送した後に消去するデータ消去手段を備えた、ことを特徴としている。これにより、データ出力装置に転送後に不要となった出力対象データを携帯端末内から消去することができ、携帯端末の紛失等が生じても情報漏洩を抑制することができ、さらなるセキュリティ性の向上を図ることができる。
【００１１】
また、携帯端末は、データ出力装置に出力対象データの処理指令を発するデータ処理指令手段を備えると共に、データ出力装置の出力対象データ処理手段は、携帯端末からの処理指令に応じて記憶された出力対象データに対する所定の処理を行う、ことを特徴としている。そして、携帯端末のデータ処理指令手段は、出力対象データの出力処理を指令する出力処理指令を発し、データ出力装置の出力対象データ処理手段は、出力処理指令に応じて出力対象データの出力処理を行う、ことを特徴としている。また、携帯端末のデータ処理指令手段は、データ出力装置内から出力対象データを消去するよう指令するデータ消去指令を発し、データ出力装置の出力対象データ処理手段は、記憶されている出力対象データを消去する、ことを特徴としている。このとき、携帯端末のデータ処理指令手段は、上記データ消去手段によるデータ消去時にデータ消去指令を発する、ことを特徴としている。
【００１２】
このように、データ出力装置による出力対象データに対する処理、例えば、出力対象データの出力処理や、データの消去などを携帯端末から指令することで、これに応じた処理がデータ出力装置上で実行される。従って、ユーザの操作性及び利便性、さらには、セキュリティ性の向上を図ることができる。特に、携帯端末内における出力対象データの消去と連動してデータ出力装置内の出力対象データを消去することで、さらなるセキュリティ性の向上を図ることができる。
【００１３】
また、データ出力装置の出力対象データ処理手段は、出力対象データに対する処理指令の入力状況に応じて出力対象データの出力処理を不能にする出力不能手段を備えた、ことを特徴としている。そして、出力不能手段は、出力対象データに対する処理指令の入力が一定時間無かった場合に作動する、ことを特徴としている。さらに、出力不能手段は、データ出力装置内に記憶されている出力対象データを消去する、ことを特徴としている。
【００１４】
これにより、出力対象データに対する操作が終了した場合や不正な出力操作がなされた場合には、出力対象データへのアクセスをロックしたり、出力対象データ自体を消去するなど、出力処理を不能にすることにより、情報漏洩を抑制することができ、さらなるセキュリティ性の向上を図ることができる。
【００１５】
そして、上記データ出力システムのより具体的な構成として、
携帯端末が、
取得した出力対象データをデータ出力装置に転送した後であって、当該データ出力装置による出力対象データの出力を終了する指令が入力されたときに、当該出力対象データを携帯端末内から消去するデータ消去手段と、
データ出力装置に対して、出力対象データの一部分を指定して当該指定した部分を出力するよう指令する出力処理指令と、データ消去手段による消去時に出力対象データをデータ出力装置内から消去するよう指令するデータ消去指令と、を含む処理指令を発するデータ処理指令手段と、を備え、
データ出力装置の出力対象データ処理手段は、出力処理指令にて指定された出力対象データの一部分を出力する出力処理と、データ消去指令に応じて記憶されている出力対象データを消去する消去処理と、を行う、
ことを特徴としている。
【００１６】
さらに、データ出力装置の出力対象データ処理手段は、出力対象データに対する処理指令が一定時間無かった場合に、記憶されている出力対象データの出力を停止する、あるいは、データ出力装置内から消去するデータ出力不能手段を備えた、
ことを特徴としている。
【００１７】
これにより、携帯端末にて、出力対象データが複数ページを有する文書や画像データである場合の所定のページや、出力対象データが動画像データや音楽データである場合の所定のタイトルや途中箇所を指定することで、データ出力装置にて指定された部分が出力される。これにより、ユーザによるデータ出力時の操作性が向上しうる。また、携帯端末に上述したような出力対象データの出力制御を停止する指令が入力されたときに、携帯端末内から出力対象データが消去されると共に、当該携帯端末からデータ出力装置に対してデータ消去指令が発せられ、これに応じてデータ出力装置内からも出力対象データが消去される。これにより、出力対象データの漏洩を防止することができ、セキュリティ性の向上を図ることができる。
【００１８】
また、本発明の他の形態である携帯端末は、
出力対象データが蓄積されたデータサーバにネットワークを介して接続可能であり、出力対象データを出力する処理を含む所定の処理を行うデータ出力装置とデータ通信可能な携帯端末であって、
データサーバから出力対象データを取得するデータ取得手段と、この取得した出力対象データをデータ出力装置に対して転送するデータ転送手段と、
を備えたことを特徴としている。
【００１９】
そして、携帯端末は、取得した出力対象データをデータ出力装置に転送後に消去するデータ消去手段を備えた、ことを特徴としている。また、携帯端末からの処理指令に応じて出力対象データの処理を行う機能を有するデータ出力装置に、当該データ出力装置上における出力対象データの処理内容を指令するデータ処理指令手段を備えた、ことを特徴としている。また、データ処理指令手段は、出力対象データの出力処理を指令する出力処理指令や、データ出力装置内から出力対象データを消去するよう指令するデータ消去指令を発する、ことを特徴としている。
【００２０】
そして、上記携帯端末のより具体的な構成として、
取得した出力対象データをデータ出力装置に転送した後であって、当該データ出力装置による出力対象データの出力を終了する指令が入力されたときに、当該出力対象データを携帯端末内から消去するデータ消去手段と、
データ出力装置に対して、出力対象データの一部分を指定して当該指定した部分を出力するよう指令する出力処理指令と、データ消去手段による消去時に出力対象データを前記データ出力装置内から消去するよう指令するデータ消去指令と、を含む処理指令を発するデータ処理指令手段と、
を備えたことを特徴としている。
【００２１】
また、本発明の他の形態である携帯端末用のプログラムは、
出力対象データが蓄積されたデータサーバにネットワークを介して接続可能であり、出力対象データを出力する処理を含む所定の処理を行うデータ出力装置とデータ通信可能な携帯端末に、データサーバから出力対象データを取得するデータ取得手段と、この取得した出力対象データをデータ出力装置に対して転送するデータ転送手段と、を実現させる、ことを特徴としている。
【００２２】
そして、上記プログラムは、携帯端末に、取得した出力対象データをデータ出力装置に転送後に消去するデータ消去手段、を実現させる、ことを特徴としている。さらに、携帯端末に、当該携帯端末からの処理指令に応じて出力対象データの処理を行う機能を有するデータ出力装置に対して、当該データ出力装置上における出力対象データの処理内容を指令するデータ処理指令手段、を実現させる、ことを特徴としている。
【００２３】
そして、上記携帯端末用のプログラムのより具体的な構成として、
携帯端末に、
取得した出力対象データをデータ出力装置に転送した後であって、当該データ出力装置による出力対象データの出力を終了する指令が入力されたときに、当該出力対象データを携帯端末内から消去するデータ消去手段と、
データ出力装置に対して、出力対象データの一部分を指定して当該指定した部分を出力するよう指令する出力処理指令と、データ消去手段による消去時に出力対象データをデータ出力装置内から消去するよう指令するデータ消去指令と、を含む処理指令を発するデータ処理指令手段と、
を実現させる、ことを特徴としている。
【００２４】
また、本発明の他の形態であるデータ出力装置は、出力対象データが蓄積されたデータサーバにネットワークを介して接続可能な携帯端末とデータ通信可能であり、出力対象データを出力するデータ出力装置であって、携帯端末がデータサーバから取得し当該携帯端末から転送された出力対象データを受信して記憶する出力対象データ記憶処理手段と、この記憶された出力対象データの出力処理を含む所定の処理を行う出力対象データ処理手段と、を備えたことを特徴としている。
【００２５】
そして、出力対象データ処理手段は、携帯端末から発せられた出力対象データの処理指令を受け付けて、当該処理指令に応じて記憶された出力対象データに対する所定の処理を行う、ことを特徴としている。また、出力対象データ処理手段は、携帯端末から発せられた出力対象データの出力処理を指令する出力処理指令を受け付けて、当該出力処理指令に応じて出力対象データの出力処理を行う、ことを特徴としている。また、出力対象データ処理手段は、携帯端末から発せられたデータ出力装置内から出力対象データを消去するよう指令するデータ消去指令を受け付けて、当該データ消去指令に応じて記憶されている出力対象データを消去する、ことを特徴としている。
【００２６】
さらに、出力対象データ処理手段は、出力対象データに対する処理指令の入力状況に応じて出力対象データの出力処理を不能にする出力不能手段を備えた、ことを特徴としており、特に、この出力不能手段は、出力対象データに対する処理指令の入力が一定時間無かった場合に作動する、ことを特徴としている。そして、さらに、出力不能手段は、データ出力装置内に記憶されている出力対象データを消去する、ことを特徴としている。
【００２７】
そして、上記データ出力装置のより具体的な構成として、
出力対象データ処理手段は、
携帯端末から発せられた出力対象データの一部分を指定して当該指定した部分を出力するよう指令する出力処理指令を受け付けて、これに応じて出力処理指令にて指定された出力対象データの一部分を出力する出力処理と、
携帯端末から当該携帯端末内で出力対象データが消去されたときに発せられたデータ出力装置内から出力対象データを消去するよう指令するデータ消去指令を受け付けて、これに応じて記憶されている出力対象データを消去する消去処理と、
を実行する、
ことを特徴としている。
【００２８】
また、出力対象データ処理手段は、出力対象データに対する処理指令が一定時間無かった場合に、記憶されている出力対象データの出力を停止する、あるいは、データ出力装置内から消去するデータ出力不能手段を備えた、ことを特徴としている。
【００２９】
そして、上述したデータ出力装置は、例えば、出力対象データを画像出力する出力処理を含む出力対象データ処理手段を備えているプロジェクタなどの画像出力装置である。
【００３０】
また、本発明の他の形態であるデータ出力装置用のプログラムは、
出力対象データが蓄積されたデータサーバにネットワークを介して接続可能な携帯端末とデータ通信可能であり、出力対象データを出力するデータ出力装置に、
携帯端末が前記データサーバから取得し当該携帯端末から転送された出力対象データを受信して記憶装置に記憶する出力対象データ記憶処理手段と、この記憶された出力対象データの出力処理を含む所定の処理を行う出力対象データ処理手段と、
を実現させる、ことを特徴としている。
【００３１】
そして、上記プログラムにおいて、出力対象データ処理手段は、携帯端末から発せられた出力対象データの処理指令を受け付けて、当該処理指令に応じて記憶された出力対象データに対する所定の処理を行う、ことを特徴としている。また、出力対象データ処理手段は、出力対象データに対する処理指令の入力状況に応じて出力対象データの出力処理を不能にする、ことを特徴としている。
【００３２】
そして、上記データ出力装置用のプログラムのより具体的な構成として、
出力対象データ処理手段は、
携帯端末から発せられた出力対象データの一部分を指定して当該指定した部分を出力するよう指令する出力処理指令を受け付けて、これに応じて出力処理指令にて指定された出力対象データの一部分を出力する出力処理と、
携帯端末から当該携帯端末内で出力対象データが消去されたときに発せられたデータ出力装置内から出力対象データを消去するよう指令するデータ消去指令を受け付けて、これに応じて記憶されている出力対象データを消去する消去処理と、
を実行する、ことを特徴としている。
【００３３】
また、出力対象データ処理手段は、出力対象データに対する処理指令が一定時間無かった場合に、記憶されている出力対象データの出力を停止する、あるいは、データ出力装置内から消去する、ことを特徴としている。
【００３４】
さらに、本発明の他の形態であるデータ出力方法は、
出力対象データが蓄積されたデータサーバにネットワークを介して接続可能な携帯端末と、この携帯端末とデータ通信可能なデータ出力装置と、を備え、データ出力装置から出力対象データを出力するデータ出力方法であって、
携帯端末が、データサーバから出力対象データを取得して、この取得した出力対象データをデータ出力装置に対して転送し、
データ出力装置が、携帯端末から転送された出力対象データを受信して記憶し、この記憶された出力対象データの出力処理を含む所定の処理を行う、
ことを特徴としている。
【００３５】
そして、上記データ出力方法において、携帯端末が、取得した出力対象データをデータ出力装置に転送した後に消去する、ことを特徴としている。また、携帯端末が、出力対象データの転送した後に、データ出力装置に出力対象データの処理指令を発し、データ出力装置が、携帯端末から転送された出力対象データを受信して記憶した後に、携帯端末から発せられた処理指令を受け付けて、当該処理指令に応じて記憶された出力対象データに対する所定の処理を行う、ことを特徴としている。また、携帯端末が、当該携帯端末内の出力対象データを消去したときに、データ出力装置に出力対象データの消去指令を発する、ことを特徴としている。さらに、データ出力装置が、携帯端末から転送された出力対象データを受信して記憶した後に、出力対象データに対する処理指令の入力状況を監視し、監視状況に応じて出力対象データの出力処理を不能にする、ことを特徴としている。
【００３６】
そして、上記データ出力方法のより具体的な構成として、
携帯端末が、取得した出力対象データをデータ出力装置に転送した後に、データ出力装置に対して出力対象データの一部分を指定して当該指定した部分を出力するよう指令する出力処理指令を発し、これに応じて、データ出力装置が出力処理指令にて指定された出力対象データの一部分を出力し、
携帯端末が、取得した出力対象データをデータ出力装置に転送した後であって、当該データ出力装置による出力対象データの出力を終了する指令が入力されたときに、当該出力対象データを携帯端末内から消去すると共に、データ出力装置に対して出力対象データをデータ出力装置内から消去するよう指令するデータ消去指令を発し、これに応じて、データ出力装置が記憶されている出力対象データを消去する、
ことを特徴としている。
【００３７】
また、データ出力装置が、携帯端末から転送された出力対象データを受信して記憶した後に、出力対象データに対する処理指令が一定時間無かった場合に、記憶されている出力対象データの出力を停止する、あるいは、データ出力装置内から消去する、ことを特徴としている。
【００３８】
上述した構成の携帯端末、データ出力装置、プログラム、データ出力方法の発明であっても、上記データ出力システムと同様に作用するため、上述した本発明の目的を達成することができる。
【発明の効果】
【００３９】
本発明は、以上のように構成されて機能するので、これによると、ユーザは出力対象データが必要なときのみデータサーバから携帯端末に取得して、データ出力装置に転送させるため、その他の状況時には携帯端末には保存されていない状態となる。従って、携帯端末の紛失などが生じたとしても情報漏洩の問題の発生を抑制することができ、セキュリティ性の向上を図ることができる、という従来にない優れた効果を有する。
【発明を実施するための最良の形態】
【００４０】
本発明は、機密データなどの出力対象データを電子機器に格納して携行することなく、セキュリティ性を確保しつつ、外出先のデータ出力装置にて出力対象データを人間が認識可能なよう出力することができる、という特徴を有する。以下、実施例にて、具体的な構成及び動作を説明する。
【実施例１】
【００４１】
本発明の第１の実施例を、図１乃至図１２を参照して説明する。図１乃至図５は、本発明の構成を示す図であり、図６乃至図１２は、その動作を説明するための図である。
【００４２】
本実施例では、会社Ａのユーザが会社Ｂにてプロジェクタを用いてプレゼンテーションを行う際に、会社Ａにて作成したプレゼンテーション用データをプロジェクタに出力するためのシステムについて説明する。
【００４３】
［構成］
本実施例では、図１に示すように、会社Ａのユーザが利用する登録端末１と、この登録端末１に接続されたコンテンツ変換サーバ２及びコンテンツ配信サーバ３と、を備えている。また、コンテンツ配信サーバ３に、インターネット網４及び携帯電話データ通信網５を介して接続可能な上記会社Ａのユーザが利用する携帯電話端末６と、この携帯電話端末６とデータ通信可能な会社Ｂに設置されたプロジェクタ７と、を備えている。そして、特に、携帯電話端末６とプロジェクタ７によって、データ配信サーバ３に格納された出力対象データであるプレゼンテーション用データを出力するデータ出力システムが構成されている。以下、各構成について詳述する。
【００４４】
登録端末１は、会社Ａ内のオフィスワークなどで利用されるパーソナルコンピュータ等の情報処理装置であり、本実施例では、後述するユーザＵにて利用されることとする。登録装置１は、文書データの作成や編集及び保存する機能を備えており、特に、後述するプロジェクタ７にて会社Ｂに対してプレゼンテーションする際に用いられるプレゼンテーション用データ（出力対象データ）を作成し、保存することが可能である。また、登録装置１は、作成し保存したプレゼンテーション用データであるコンテンツデータを、社内ＬＡＮなどのネットワークで接続されたコンテンツ変換サーバ２に送信して、コンテンツ配信サーバ３に対して登録するよう依頼する機能を備えている。なお、この登録依頼時には、正当な権限を有するユーザからの登録依頼であるか否かを認証すべく、ユーザや会社内の従業員に固有の利用者ＩＤや、登録端末１自体に固有の端末ＩＤといったユーザ情報を、認証用に登録端末１からコンテンツ変換サーバ２に送信する。
【００４５】
コンテンツ変換サーバ２は、会社Ａが管理するデータセンタ内に設置されており、会社Ａの社内ＬＡＮに接続されたワークステーション・サーバ等の情報処理装置である。そして、このコンテンツ変換サーバ２は、上記登録端末１から送信されるプレゼンテーション用データであるコンテンツデータを受信し、このプレゼンテーション用データの出力イメージを画像データとして生成する機能と、この生成した出力イメージ画像を携帯電話などのパーソナルコンピュータ以外の情報処理端末でも閲覧可能なデータフォーマット（プレビューデータ）に変換する機能と、を有する。具体的には、登録端末１から受信したプレゼンテーション用データのフォーマットや文書タイトル、ページ数などの情報を解析し、プロジェクタにて出力する形式の画像データである出力イメージ画像を生成したり、携帯電話端末などで閲覧可能でありプレビュー時に利用されるデータに変換する。そして、これら生成及び変換したプレゼンテーション用のコンテンツデータを、同じく社内ＬＡＮにて接続されたコンテンツ配信サーバ３に送信する機能を有する。なお、コンテンツ変換サーバ２は、アクセスしてきた登録端末１あるいはユーザがアクセス権限を有するか否かを認証する機能を有しており、コンテンツ変換サーバ２自体あるいは他のコンピュータに、会社Ａの従業員毎に固有の利用者ＩＤや登録端末１に固有の端末ＩＤなどが予め登録されているデータベースに基づいて、登録端末１からのアクセス時に送信されたユーザ情報と比較して認証する機能を有する。
【００４６】
コンテンツ配信サーバ３（データサーバ）は、会社Ａが管理するデータセンタ内に設置されており、会社Ａの社内ＬＡＮに接続されたワークステーション・サーバ等の情報処理装置である。そして、このコンテンツ配信サーバ３は、上記コンテンツ変換サーバ２から送信されるプレゼンテーション用データであるコンテンツデータを受信して管理し、また、携帯電話端末６に対してデータを送信する機能を有する。具体的には、コンテンツ配信サーバ３のＣＰＵといった演算装置（図示せず）には、所定のプログラムが組み込まれることにより、コンテンツ登録処理部３１と、ユーザ認証処理部３２と、コンテンツ配信処理部３３と、が構築されている。また、ハードディスクドライブなどの記憶装置（図示せず）には、コンテンツデータ記憶部３４が形成されている。以下、各処理部３１〜３３及び記憶部３４について説明する。
【００４７】
コンテンツ登録処理部３１は、コンテンツ変換サーバ２から送信されたコンテンツデータを受信して、コンテンツデータ記憶部３４に登録する。なお、受信したコンテンツデータであるプレゼンテーション用データは、上述したように、プロジェクタにて出力する形式の画像データとして生成された出力イメージ画像や、携帯電話端末などで閲覧可能でありプレビュー時に利用される変換されたデータであり、そのままコンテンツデータ記憶部３４に登録される。
【００４８】
ユーザ認証処理部３２は、携帯電話端末６などからアクセスがあったときに、この携帯電話端末６あるいは利用者が、コンテンツデータに対する正当なアクセス権限を有するか否かの認証処理を行う。例えば、携帯電話端末６からアクセスがあったときに、かかるアクセス時に送信されたユーザに固有の利用者ＩＤや携帯電話端末６に固有の端末ＩＤなどを受信して、コンテンツ配信サーバ３自体あるいは他のコンピュータに予め記憶されている会社Ａの従業員毎に固有の端末ＩＤや携帯電話端末の電話番号などの端末ＩＤなどのデータベースに基づいて、一致するか否かになどの判断手法に応じて認証する機能を有する。そして、認証に失敗した携帯電話端末６に対してはアクセスを拒否し、認証に成功した携帯電話端末６に対しては、コンテンツ配信処理部３３によるコンテンツの配信を許可する。
【００４９】
そして、コンテンツ配信処理部３３は、認証が成功した携帯電話端末６に対しては、一定時間のみアクセス可能な領域を設定し、かかる領域へのアクセスアドレスである時限ＵＲＬを生成して携帯電話端末６に通知して、アクセスを許可する。そして、この時限ＵＲＬを介して、コンテンツデータ記憶部３４に格納されているコンテンツデータを送信する。例えば、図６（ａ）に示すように、全コンテンツデータのタイトル一覧や、図６（ｂ）に示すように、キーワードを指定して検索されたコンテンツデータのタイトル一覧を送信して表示させる。さらには、図７に示すように、上記一覧表示されたコンテンツデータの中から携帯電話端末６にて選択されたコンテンツデータのプレビューデータを送信して表示させる。そして、最終的には、携帯電話端末６にて選択されたコンテンツデータの出力用データ、つまり、上述したようにコンテンツ変換サーバ２にて生成されたプロジェクタにて出力するための出力データ画像を、携帯電話端末６に送信する。また、コンテンツ配信処理部３３は、生成した上記時限ＵＲＬを、一定時間が経過した後（例えば、２時間後）に削除する。
【００５０】
次に、携帯電話端末６（携帯端末）について、図３や図６，７，８などを参照して説明する。この携帯電話端末６は、図３に示すように、ＣＰＵといった演算装置６Ａと、フラッシュメモリにて構成されたＲＯＭ／ＲＡＭなどの記憶装置６Ｂと、テンキーなどの操作ボタンを備えた操作部６Ｃと、液晶画面といった表示部６Ｄと、を備えた一般的な携帯電話機である。そして、この携帯電話端末６は、例えば、上記登録端末１を操作してコンテンツ配信サーバ３に登録したコンテンツデータを作成したユーザ、あるいは、その会社Ａの従業員など、上記コンテンツデータに正当なアクセス権限を有する者が操作する端末であり、会社Ｂに出向いて、当該会社Ｂにてプレゼンテーションを行う際に用いられる。このとき、携帯電話端末６は、ＵＳＢ接続や赤外線通信などにより、プロジェクタ７に接続される。
【００５１】
そして、演算装置６Ａには、所定のプログラムが組み込まれることにより、ユーザ認証処理部６１と、コンテンツ取得処理部６２と、コンテンツ転送処理部６３と、制御指令発信処理部６４と、コンテンツ削除処理部６５と、が構築されている。また、記憶装置６Ｂには、コンテンツ記憶部６６が形成されている。以下、各処理部６１〜６５及び記憶部６６について詳述する。
【００５２】
ユーザ認証処理部６１は、コンテンツ配信サーバ３に対して、コンテンツデータを要求するためにアクセスしたときに、例えば、ユーザＵに固有な利用者ＩＤや端末に固有な端末ＩＤを認証情報として送信する。そして、コンテンツ配信サーバ３にて認証に成功することによって、コンテンツの配信許可を得る。コンテンツ取得処理部６２（データ取得手段）は、上記ユーザ認証処理部６１にて認証が成功した場合に、コンテンツ配信サーバ３から必要とするプレゼンテーション用データであるコンテンツデータを要求して取得する機能を有する。具体的には、まず、携帯電話端末６１の表示部６Ｄには、図６（ａ）に示すようなコンテンツ配信サーバ３から配信可能なコンテンツ一覧や、図６（ｂ）に示すようなキーワード検索によって抽出されたコンテンツ一覧が表示され、図７に示すように、一覧内から選択されたコンテンツのプレビューデータが表示される。そして、ユーザが希望するプレゼンテーション用データのプレビュー画面で「決定」を選択することで、そのコンテンツの出力データ画像を得ることができる。そして、取得したコンテンツデータは、コンテンツ記憶部６６に格納される。
【００５３】
コンテンツ転送処理部６３（データ転送手段）は、上記取得しコンテンツ記憶部６６に記憶されているコンテンツデータを、プロジェクタ７に対して出力する機能を有する。例えば、上記コンテンツ取得処理部６２にてコンテンツデータを取得した際に、携帯電話端末６の画面上に「外部出力」ボタンが表示され、これを選択することで、その直後にプロジェクタ７に対してＵＳＢ接続や赤外線通信などを用いて転送する。
【００５４】
制御指令発信処理部６４（データ処理指令手段）は、ＵＳＢ接続や赤外線通信などで、プロジェクタ７に対して上述したように転送したプレゼンテーション用データの処理指令を発する。そして、処理指令としては、例えば、プレゼンテーション用データのデータを出力処理するよう指令する出力処理指令、つまり、出力データ画像をプロジェクタ７から投影するよう指示する指令情報を発する。具体的に出力処理指令としては、プレゼンテーション用データの出力を開始したり停止する指令や、スライド形式のプレゼンテーション用データのページ送り指令など、種々の指令が発せられる。なお、出力処理指令の発信時には、携帯電話端末６から指令に応じてプロジェクタ７にて処理された内容、つまり、プレゼンテーション用データの表示出力状況がプロジェクタ７から通知されるが、制御指令発信処理部６４がこれを受信し、これに応じた表示画面が図８に示すように表示部６Ｄに表示される。また、処理指令としては、プロジェクタ７に転送したプレゼンテーション用データを、当該プロジェクタ７内から削除するよう指令するデータ消去指令を含む。このデータ消去指令は、例えば、携帯電話端末６の操作部６Ｃを介して、ユーザからプレゼンテーション用データの表示出力を停止（終了）する指令が入力された際にプロジェクタ７に対して出力されたり、後述するコンテンツ削除処理部６５にて、携帯電話端末６内のコンテンツ記憶部６６から、既にプロジェクタ７に転送されたコンテンツデータつまりプレゼンテーション用データの削除が実行されたときにプロジェクタ７に対して発せられる。
【００５５】
そして、コンテンツ削除処理部６５（データ消去手段）は、例えば、携帯電話端末６の操作部６Ｃにユーザにてコンテンツデータつまりプレゼンテーション用データの削除指令が入力されたときに、上述したようにコンテンツ配信サーバ３から取得してコンテンツ記憶部６６に格納されているコンテンツデータを消去するよう作動する。但し、コンテンツ削除処理部６５によるコンテンツデータの消去処理の作動タイミングは限定されず、例えば、コンテンツデータをプロジェクタ７に転送した直後に自動的に実施されてもよく、プロジェクタ７に対するコンテンツデータの出力操作の終了の指令が入力されたときに実施されてもよい。
【００５６】
次に、プロジェクタ７（データ出力装置、画像出力装置）について、図４、図５を参照して説明する。このプロジェクタ７は、会社Ａの従業員にてプレゼンテーションが行われる会社Ｂの会議室などに設置されたプロジェクタであって、図４に示すように、ＣＰＵといった演算装置７Ａと、ＶＲＡＭといった主に画像データを蓄積する記憶装置７Ｂと、投影装置７Ｃと、を備えており、プレゼンテーション用データの出力データ画像を投影装置７Ｃにてスクリーン等に投影してユーザにて視認できるよう表示する機能を有する。
【００５７】
そして、このプロジェクタ７の演算装置７Ａには、所定のプログラムが組み込まれることにより、コンテンツ受付処理部７１と、ページ制御指令受付処理部７２と、監視処理部７３と、削除指令受付処理部７４と、が構築されている。また、記憶装置７Ｂには、コンテンツ格納部７５が形成されている。以下、各処理部７１〜７４及び記憶部７５について詳述する。
【００５８】
コンテンツ受付処理部７１（出力対象データ記憶処理部）は、まず、携帯電話端末６との通信プロトコルを決定したり、あるいは、携帯電話端末６からの制御指令を受け付けることができるよう、制御機能オープン処理が行われる。そして、上述したように携帯電話端末６から転送されたコンテンツデータであるプレゼンテーション用データを受信して、コンテンツ格納部７５に記憶する。また、コンテンツ受付処理部７１は、受け付けたプレゼンテーション用データをコンテンツ格納部７５に記憶する際に、プレゼンテーション用データの各ページがそれぞれコンテンツ格納部７５内のどのアドレス（領域）に記憶されているかを認識して、図５に示すようなアドレスとページとの対応テーブルを生成する。そして、この対応テーブルを、ページ制御指令受付処理部７２自体に保持させるなど、当該ページ制御指令受付処理部７２にて参照可能なよう記憶する。
【００５９】
また、ページ制御指令受付処理部７２（出力対象データ処理手段）は、上述した携帯電話端末６の制御指令発信処理部６４からの処理指令である出力処理指令を受け付けて、これに応じてコンテンツ格納部７５に格納されているプレゼンテーション用データの出力処理を実行する。例えば、投影装置７Ｃからプレゼンテーション用データの投影出力を開始／停止したり、指定されたページを表示出力するなどのページ送り制御などを行う。例えば、ページ送り制御は、まず、上述した図５に示すような対応テーブルを参照して、携帯電話端末６の出力処理指令によって指定されたページ番号から、そのページのデータが格納されているコンテンツ格納部７５のアドレスを認識する。そして、そのアドレスにアクセスし、指定されたページの画像データを抽出して、投影装置７Ｃから出力する。
【００６０】
また、削除指令受付処理部７４（出力対象データ処理手段）も同様に上述した携帯電話端末６の制御指令発信処理部６４からの処理指令を受け付けるが、特に、データ消去指令を受け付けて、これに応じてコンテンツ格納部７５に格納されているプレゼンテーション用データの消去処理を行う。なお、上記ページ制御指令受付処理部７２や削除指令受付処理部７４は、プロジェクタ７に装備された操作部（図示せず）から入力された出力処理指令やデータ消去指令に応じても上記同様に作動する。
【００６１】
また、監視処理部７３（出力不能手段）は、上記ページ制御指令受付処理部７２の動作を監視して、コンテンツ格納部７５に格納されたプレゼンテーション用データに対する処理指令の入力状況を監視し、これに応じてプレゼンテーション用データの出力処理を不能にするよう制御する機能を有する。例えば、あるプレゼンテーション用データに対して、一定時間（例えば、１時間）プロジェクタ７の操作部や携帯電話端末６から処理指令が入力されない場合には、当該プレゼンテーション用データが出力されないようロックする指令をページ制御指令受付処理部７２に発して、外部からデータ参照できないようアクセス不能とさせる。あるいは、削除指令受付処理部７４に、プレゼンテーション用データを削除する指令を発してもよい。これにより、プレゼンテーション用データがコンテンツ格納部７５から消去される。
【００６２】
［動作］
次に、上記システムによるデータ出力動作を、図９及び図１０，１１，１２を参照して説明する。ここでは、会社ＡのユーザＵが、会社Ｂに出向いてプロジェクタ７を用いてプレゼンテーションを行うときの動作について説明する。
【００６３】
はじめに、会社ＡのユーザＵにて作成されたプレゼンテーション用データであるコンテンツデータを、コンテンツ配信サーバ３に登録するときの動作を（図９の矢印（１）参照）、主に図１０のシーケンス図を参照して説明する。
【００６４】
まず、会社ＡのユーザＵは、登録端末１を用いてプレゼンテーション用データを作成し、保存しておく（図示せず）。そして、ユーザＵは、登録端末１にてコンテンツ変換サーバ２にアクセスし、ユーザＵ自身の利用者ＩＤを入力して送信する（ステップＳ１）。すると、コンテンツ変換サーバ２では、予め用意されている会社Ａの従業員データベースを参照して、ユーザＵがコンテンツを登録する権限を有するか否かを調べ、ユーザ認証を行う（ステップＳ２）。そして、認証が成功すると、コンテンツ変換サーバ２はその結果を登録端末１に通知し（ステップＳ３）、これに応じて、登録端末１からは、保存されているプレゼンテーション用データをコンテンツデータとしてコンテンツ変換サーバ２に送信し、登録を依頼する（ステップ４）。
【００６５】
そして、コンテンツ変換サーバ２では、登録端末１から送信されたプレゼンテーション用データであるコンテンツデータを解析し（ステップＳ５）、プロジェクタ７にて出力可能な画像データ形式の出力用データを生成すると共に（ステップＳ６）、携帯電話端末６などでも閲覧可能なプレビューデータに変換する（ステップＳ７）。その後、コンテンツ変換サーバ２から、変換されたプレゼンテーション用データがコンテンツ配信サーバ３に送信され（ステップＳ８）、コンテンツ配信サーバ３にプレゼンテーション用データがコンテンツとして登録される（ステップＳ９）。
【００６６】
次に、会社Ｂに出向いた会社ＡのユーザＵが操作する携帯電話端末６にて、コンテンツ配信サーバ３に登録されているプレゼンテーション用データを取得して、さらに、プロジェクタに転送するときの動作を、主に図１１のシーケンス図を参照して説明する（図９の矢印（２），（３），（４）参照）。
【００６７】
まず、会社Ａの従業員であるユーザＵ（あるいは他の従業員）は、上述したようにプレゼンテーション用データをコンテンツ配信サーバ３に登録した後に、会社Ａ内のデータベースに登録されている携帯電話端末６を持って、プレゼンテーションを行うべく会社Ｂに出向く（図９の矢印（２）参照）。そして、持参した携帯電話端末６にてインターネット網４等を介してコンテンツ配信サーバ３にアクセスする（ステップＳ１１）。すると、コンテンツ配信サーバ３から利用者ＩＤや端末ＩＤといったユーザ情報が要求されるため（ステップＳ１２）、これに応じて、ユーザＵは、利用者ＩＤや端末ＩＤを認証情報として送信する（ステップＳ１３）。そして、コンテンツ配信サーバ３では、予め用意されている会社Ａの従業員データベースを参照して、アクセスしてきた携帯電話端末６がコンテンツデータを取得するための正当な権限を有するか否かを調べ、ユーザ認証を行う（ステップＳ１４）。
【００６８】
そして、認証が成功すると、コンテンツ配信サーバ３は、配信が許可されたコンテンツの情報を携帯電話端末６に送信する（ステップＳ１５）。このとき、まず、コンテンツ配信サーバ３は、認証に成功した携帯電話端末６のみがアクセス可能な時限ＵＲＬを生成し、かかるＵＲＬによるアドレス領域から、登録されている配信可能なコンテンツのタイトル一覧を携帯電話端末６に送信する。例えば、図６（ａ）に示すように、携帯電話端末６の表示部６Ｄに表示される。そして、必要であれば、検索キーワードを用いて入力したキーワードにてコンテンツを絞り込み、そのタイトル一覧が携帯電話端末６に送信され、図６（ｂ）に示すように、表示部６Ｄに表示される。その後、ユーザＵは、携帯電話端末６の表示部６Ｄ上で、希望するタイトルを選択すると、かかる情報がコンテンツ配信サーバ３に通知され（ステップＳ１６）、この選択されたコンテンツデータのプレビューデータやデータ格納場所などのメタ情報がコンテンツ配信サーバ３の時限ＵＲＬから携帯電話端末６に送信される（ステップＳ１７）。このとき、プレビューデータが携帯電話端末６の表示部６Ｄに表示されたときの一例を図７に示す。
【００６９】
そして、ユーザＵは、プレビューデータを見てそのコンテンツデータの取得を希望する場合には、図７に示されている「決定」ボタンを選択することにより、コンテンツ配信サーバ３に対してコンテンツを指定して要求する（ステップＳ１８）。すると、この指定されたコンテンツデータのうちプロジェクタ７に出力するための画像データの全てが、コンテンツ配信サーバ３の時限ＵＲＬから送信され（ステップＳ１９）、これを携帯電話端末６が受け取って一時的に記憶する（ステップＳ２０、図９の矢印（３）参照）。その後、携帯電話端末６にて取得されたコンテンツデータが、当該携帯電話端末６からプロジェクタ７に転送される（ステップＳ２１、図９の矢印（４）参照）。この転送処理については、図１２を参照して後述する。そして、一定時間後には、コンテンツ配信サーバ３に設定されたコンテンツ配信用の時限ＵＲＬが削除される（ステップＳ２２）。
【００７０】
次に、ユーザＵが会社Ｂにて、携帯電話端末６からプロジェクタ７に対してプレゼンテーション用データを転送し、プレゼンテーションを行うときの動作を、主に図１２のシーケンス図を参照して説明する（図９の矢印（４）参照）。
【００７１】
まず、ユーザＵは、携帯電話端末６とプロジェクタ７をＵＳＢ接続や赤外線通信などを用いて相互に接続することで、携帯電話端末６がプロジェクタ７に制御要求を発する（ステップＳ３１）。これに応じて、プロジェクタ７の制御機能がオープンされるため（ステップＳ３２）、携帯電話端末６はコンテンツデータを送信する（ステップＳ３３）。そして、送信されたコンテンツデータを受信したプロジェクタ７は、受信完了通知を携帯電話端末６に通知すると共に（ステップＳ３４）、プロジェクタ７内に受信したコンテンツデータを記憶する（ステップＳ３５）。これにより携帯電話端末６からプロジェクタ７にコンテンツデータが転送されるが、上記一連の転送処理は、例えば、携帯電話端末６にてコンテンツデータを取得した際に、「外部出力」等のボタンが表示され、これが選択されると実行される。従って、コンテンツ配信サーバ３から送信されるコンテンツデータは、携帯電話端末６を一時的に中継して、プロジェクタ７に格納される。
【００７２】
続いて、ユーザＵは、携帯電話端末６にてプロジェクタ制御アプリケーションを起動することで、ＵＳＢ接続等を介して、携帯電話端末６からプロジェクタ７に対してコンテンツデータの制御指令を送信することができる。例えば、プレゼンテーション用データの特定のページを出力する指令や、画面の拡大／縮小といった指令が入力されると、携帯電話端末６からプロジェクタ７に送信され（ステップＳ３６）、これに応じて、プロジェクタ７は、特定のページを投影して表示したり、拡大投影して表示するなど、ページ投影制御を行う（ステップＳ３７）。そして、プロジェクタ７は、ページ投影制御結果を携帯電話端末６に通知する（ステップＳ３８）。なお、このとき、携帯電話端末６では、現在プロジェクタ７にて投影表示されている画像データを、図８に示すように、端末６の表示部６Ｄに表示させる。
【００７３】
その後、ユーザＵがプレゼンテーションを終了し、プレゼンテーション用データの出力制御を終了する指示を携帯電話端末６に入力すると（ステップＳ３９：イエス）、携帯電話端末６内に記憶されているコンテンツデータが削除される（ステップＳ４０）。すると、携帯電話端末６からプロジェクタ７に対して、当該プロジェクタ７に格納されているコンテンツデータの削除指令が発せられ（ステップＳ４１）、これに応じてプロジェクタ７内に記憶されているコンテンツデータも削除される（ステップＳ４３）。
【００７４】
また、プロジェクタ７では、その内部に格納されているプレゼンテーション用データに対する制御指令の有無が監視されており（ステップＳ４２）、一定時間制御指令がない場合には（ステップＳ４２：イエス）、かかる場合にもプロジェクタ７内に記憶されているコンテンツデータも削除される（ステップＳ４３）。
【００７５】
以上のようにすることにより、本発明によると、コンテンツ配信サーバ３に蓄積されているプレゼンテーション用データなどのコンテンツデータが、携帯電話端末６にてネットワークを介して取得され、この取得されたデータが携帯電話端末６からプロジェクタに転送され、当該プロジェクタ７から出力することができる。これにより、ユーザＵは、プレゼンテーション用データが必要なときのみ、上記例では、会社Ｂに訪問してプレゼンテーションを行うときにのみ、携帯電話端末６にてコンテンツ配信サーバ３から取得して転送すればよいため、その他の状況時にはプレゼンテーション用データは携帯電話端末６には保存されていないこととなる。従って、携帯電話端末６の紛失や盗難などが生じたとしても情報漏洩の問題の発生を抑制することができ、セキュリティ性の向上を図ることができる。
【００７６】
また、プロジェクタ７に転送後、特に、プロジェクタ７にてプレゼンテーション終了後に不要となったプレゼンテーション用データを、携帯電話端末６やプロジェクタ７内から消去することで、セキュリティ性の向上を図ることができる。特に、携帯電話端末６内におけるプレゼンテーション用データの消去と連動して、プロジェクタ７内のデータも消去することで、コンテンツ配信サーバ３以外にはコンテンツデータが残らないため、さらなるセキュリティ性の向上を図ることができる。また、コンテンツ配信サーバ３が携帯電話端末６にコンテンツデータを提供するときに用いるＵＲＬを、一定時間が経過すると消去される時限ＵＲＬとすることで、正当権限のない他のユーザによってコンテンツ配信サーバ３からコンテンツデータが取得されることを防止することができ、さらにセキュリティ性の向上を図ることができる。
【００７７】
さらに、プロジェクタ７において、コンテンツデータに対する操作が終了した場合や不正な出力操作がなされた場合に、コンテンツデータへのアクセスをロックしたり、コンテンツデータ自体を消去するなど、出力処理を不能にすることにより、情報漏洩を抑制することができ、さらなるセキュリティ性の向上を図ることができる。
【００７８】
また、携帯電話端末６内やプロジェクタ７内でコンテンツデータを記憶する領域（コンテンツ記憶部６６、コンテンツ格納部７５）をＲＡＭに形成することで、携帯電話端末６やプロジェクタ７の電源を切ったときにコンテンツデータを自動的に消去させることができる。
【実施例２】
【００７９】
次に、本発明の第２の実施例を、図１３を参照して説明する。本実施例では、上記実施例１とは出力するコンテンツデータの種類が異なり、また、コンテンツデータを人間が認識可能なよう出力する装置も異なる。
【００８０】
まず、本実施例におけるコンテンツデータは、動画データであり、上記実施例１と同様に会社Ａのユーザにて他社にて営業用のプレゼンテーションを行うために用いるデータである。そして、このコンテンツデータは、上記同様に、会社Ａの登録端末１からコンテンツ変換サーバ２を介して、コンテンツ配信サーバ３に登録されていることとする。このとき、コンテンツ変換サーバ２では、例えば、動画データうちの数カットの静止画あるいは一部の動画がプレビューデータとして生成されており、全動画データと共にコンテンツ配信サーバ３に蓄積されている。
【００８１】
そして、ユーザＵは、会社Ｃに出向くと、上述同様にインターネット４等を介して携帯電話端末６にて動画データであるコンテンツデータを取得し、会社Ｃの会議室等に設置されているテレビモニタ８（データ出力装置）に対して転送する。このとき、テレビモニタ８は、実施例１にて説明したプロジェクタ７と同様の構成を有しており、携帯電話端末６から転送されたコンテンツデータを記憶する機能を備えると共に、携帯電話端末６からのコンテンツデータの処理指令を受け付けて、当該コンテンツデータの再生等の処理を実行する機能を有する。なお、処理指令としては、再生／停止、早送り、巻き戻し、所定のシーンや再生時間などを指定することによる途中箇所からの再生、コマ送り再生などがある。これにより、コンテンツデータである動画データをテレビモニタ８上に表示出力することができ、ユーザはこれを試聴することができる。
【００８２】
また、携帯電話端末６は、テレビモニタ８にコンテンツデータを転送した後に当該端末６内からコンテンツデータを削除する機能を有する。また、この携帯電話端末６からの指令に応じて、あるいは、テレビモニタ８内のタイマ機能により一定時間操作指令が無かった場合に、テレビモニタ８内の動画データを削除する機能を有する。
【００８３】
ここで、上記では、コンテンツデータとしてプレゼンテーション用の動画データを一例に挙げて説明したが、映画などのコンテンツデータであってもよい。この場合には、コンテンツ配信サーバ３が、コンテンツ配信契約をしているユーザＵ（携帯電話端末６）に対して蓄積しているコンテンツデータを配信するよう機能し、ユーザＵは、携帯電話端末６にてコンテンツデータを取得して自宅などのテレビモニタ８にこれを転送することで、コンテンツを視聴することができる。これにより、ユーザＵからのコンテンツの流出や、他のユーザによるコンテンツの不正取得等を防止することができ、著作権の保護を図ることができる。
【実施例３】
【００８４】
次に、本発明の第３の実施例を、図１４を参照して説明する。本実施例では、上記実施例１とは出力するコンテンツデータの種類が異なり、また、コンテンツデータを人間が認識可能なよう出力する装置も異なる。
【００８５】
まず、本実施例におけるコンテンツデータは、音楽データであり、ユーザＵが自動車Ｄ内に装備されたカーステレオ装置９にて、音楽データを再生して聴くためのものである。そして、このコンテンツデータは、事前にコンテンツ配信サーバ３に蓄積されており、予め音楽データうちの一部が試聴データデータとして生成されて、全音楽データと共に記憶されている。
【００８６】
そして、ユーザＵは、自動車Ｄに乗り込むと、携帯電話端末６をカーオーディオ装置９（データ出力装置）にＵＳＢ接続や赤外線通信などの通信手段にて接続しつつ、上述同様にインターネット４等を介して利用契約したコンテンツ配信サーバ３にアクセスし、音楽データであるコンテンツデータを取得し、カーオーディオ装置８に対して転送する。このとき、カーオーディオ装置９は、実施例１にて説明したプロジェクタ７や実施例２にて説明したテレビモニタ８と同様の構成を有しており、携帯電話端末６から転送されたコンテンツデータを記憶する機能を備えると共に、携帯電話端末６からのコンテンツデータの処理指令を受け付けて、当該コンテンツデータの再生等の処理を実行する機能を有する。なお、処理指令としては、再生／停止、曲（トラック）を指定しての再生、早送りや巻き戻し、曲の途中箇所からの再生などがある。これにより、コンテンツデータである音楽データをカーオーディオ装置９に接続されたスピーカ９１から出力することができ、ユーザは音楽を聞くことができる。
【００８７】
また、携帯電話端末６は、カーオーディオ装置９にコンテンツデータを転送した後に当該端末６内からコンテンツデータを削除する機能を有する。また、この携帯電話端末６からの指令に応じて、あるいは、カーオーディオ装置９内のタイマ機能により一定時間操作指令が無かった場合に、当該装置９内の音楽データを削除する機能を有する。
【００８８】
なお、本発明においては、コンテンツデータを出力するデータ出力装置は、プロジェクタ７やテレビモニタ８、カーオーディオ９に限定されず、文字データや静止画像、動画像データ、音楽データなどを、人間が認識可能なよう出力可能なデータ出力装置であればよい。例えば、プリンタ、ハードディスクプレーヤー、携帯型オーディオプレーヤーなどの電子装置であってもよい。また、コンテンツデータの転送に用いる端末は、上述した携帯電話端末６に限定されず、コンテンツ配信サーバ３からコンテンツデータの取得が可能なようインターネット４等へのネットワーク接続機能を有し、また、データ出力装置に直接接続可能な電子機器であれば、ＰＤＡやノートパソコンなどであってもよい。
【産業上の利用可能性】
【００８９】
本発明は、プレゼンテーション時や、動画や音楽コンテンツ再生時などに、情報漏洩を抑制してデータを出力するシステムとして利用することができ、産業上の利用可能性を有する。
【図面の簡単な説明】
【００９０】
【図１】本発明のシステム全体の構成を示す図である。
【図２】コンテンツ配信サーバの構成を示す機能ブロック図である。
【図３】携帯電話端末の構成を示す機能ブロック図である。
【図４】プロジェクタの構成を示す機能ブロック図である。
【図５】プロジェクタに記憶される対応テーブルのデータ例を示す図である。
【図６】携帯電話端末の表示部の表示例を示す図であり、コンテンツ配信サーバから携帯電話端末に提供可能なコンテンツデータの一覧を表示した図である。
【図７】携帯電話端末の表示部の表示例を示す図であり、コンテンツデータのプレビューデータを表示する図である。
【図８】携帯電話端末の表示部の表示例を示す図であり、プロジェクタにて表示されている画面例を表示する図である。
【図９】システム全体の動作を示す説明図である。
【図１０】システム全体の動作を示すシーケンス図であり、コンテンツ配信サーバにコンテンツを登録する時の動作を示す。
【図１１】システム全体の動作を示すシーケンス図であり、コンテンツ配信サーバから携帯電話端末にてコンテンツデータを取得するときの動作を示す。
【図１２】システム全体の動作を示すシーケンス図であり、携帯電話端末からプロジェクタにコンテンツデータを転送し、このコンテンツデータの制御時の動作を示す。
【図１３】実施例２におけるシステム全体の構成を示すブロック図である。
【図１４】実施例３におけるシステム全体の構成を示すブロック図である。
【符号の説明】
【００９１】
１  登録端末
２  コンテンツ変換サーバ
３  コンテンツ配信サーバ
４  インターネット
５  携帯電話データ通信網
６  携帯電話端末
７  プロジェクタ
８  テレビモニタ
９  カーオーディオ
３１  コンテンツ登録処理部
３２  ユーザ認証処理部
３３  コンテンツ配信処理部
３４  コンテンツデータ記憶部
６１  ユーザ認証処理部
６２  コンテンツ取得処理部
６３  コンテンツ転送処理部
６４  制御指令発信処理部
６５  コンテンツ削除処理部
６６  コンテンツ記憶部
７１  コンテンツ受付処理部
７２  ページ制御指令受付処理部
７３  監視処理部
７４  削除指令受付処理部
７５  コンテンツ格納部
６Ｃ  携帯電話端末の操作部
６Ｄ  携帯電話端末の表示部
７Ｃ  投影装置
【図１】
2008097168.tif 000003
【図２】
2008097168.tif 000004
【図３】
2008097168.tif 000005
【図４】
2008097168.tif 000006
【図５】
2008097168.tif 000007
【図６】
2008097168.tif 000008
【図７】
2008097168.tif 000009
【図８】
2008097168.tif 000010
【図９】
2008097168.tif 000011
【図１０】
2008097168.tif 000012
【図１１】
2008097168.tif 000013
【図１２】
2008097168.tif 000014
【図１３】
2008097168.tif 000015
【図１４】
2008097168.tif 000016